(57)【要約】【課題】観光スポットという場所に関する単なる説明は、風景を眺めることによってその雰囲気に浸るためにその場所を訪れた人にとっては何の役にも立たない、ジャマもの以外のなにものでもなかったこと。【解決手段】自らの意思でその場所へ行ってその風景を眺めることによってその雰囲気に浸りたいと思う利用者３に対して、その風景にはどこでどうしたら出会えるのかを利用者３の有する利用者端末４を介して利用者３に伝え、起点となる場所から風景に出会う場所まで誘導し、不意に風景が変わったかのように感じるための動作を実行させることによって、「ある風景」の発見を実際に体感させ、その風景に浸ってもらうことが出来る。なお、人とシステムの接点となるパスゲートを用いれば、通過したパスゲート３４の位置情報を利用者３の位置情報と見なして、利用者３のいる場所から行きやすい風景情報が提供できる。【選択図】　　図３
2004046712.tif 000002
【特許請求の範囲】
【請求項１】
自らの意思でその場所へ行ってその風景を眺めることによってその雰囲気に浸りたいと思う利用者の有する利用者端末に、該利用者がその雰囲気に浸るための風景に関する風景情報を提供する風景情報提供システムであって、
前記風景に向かう起点となる場所に関する起点情報と、該起点となる場所から前記風景に出会う場所に至るまでのルートに関するルート情報と、該前記風景に出会う場所において前記利用者が不意に風景が変わったかのように感じるための動作に関する動作情報によって構成される風景情報をあらかじめ記憶する風景情報データベースと、
前記利用者端末から、該利用者端末を返信先として示す返信先情報とともに情報提供に関する要望を受信する情報受信手段と、
前記情報受信手段が受信した前記要望に基づいて前記風景情報データベースを検索し、前記要望に基づく前記風景情報を取得する情報取得手段と、
前記情報取得手段が取得した前記風景情報を前記返信先情報に基づいて前記利用者端末に送信する送信手段と
を有することを特徴とする風景情報提供システム。
【請求項２】
自らの意思でその場所へ行ってその風景を眺めることによってその雰囲気に浸りたいと思う利用者の有する利用者端末に、該利用者の通過を検知するパスゲートからの受信信号に基づいて該利用者がその雰囲気に浸るための風景に関する風景情報を提供する風景情報提供システムであって、
前記風景に向かう起点となる場所に関する起点情報と、該起点となる場所から前記風景に出会う場所に至るまでのルートに関するルート情報と、該前記風景に出会う場所において前記利用者が不意に風景が変わったかのように感じるための動作に関する動作情報によって構成される風景情報をあらかじめ記憶する風景情報データベースと、
前記パスゲートから、該パスゲートの位置情報とともに前記利用者の通過を検知した通過検知信号を受信する情報受信手段と、
前記情報受信手段が受信した前記パスゲートの位置情報に基づいて前記風景情報を構成する起点情報に関して前記風景情報データベースを検索し、前記風景情報を取得する情報取得手段と、
前記情報受信手段が受信した前記通過検知信号に基づいて前記情報取得手段が取得した前記風景情報を前記利用者端末に送信する送信手段と
を有することを特徴とする風景情報提供システム。
【請求項３】
自らの意思でその場所へ行ってその風景を眺めることによってその雰囲気に浸りたいと思う利用者の有する利用者端末に、移動手段の利用開始を示すパスゲートが検知した該利用者の通過を示す受信信号に基づいて該利用者がその雰囲気に浸るための風景に関する風景情報を提供する風景情報提供システムであって、
前記風景に向かう起点となる場所に関する起点情報と、該起点となる場所から前記風景に出会う場所に至るまでのルートに関するルート情報と、該前記風景に出会う場所において前記利用者が不意に風景が変わったかのように感じるための動作に関する動作情報によって構成される風景情報をあらかじめ記憶する風景情報データベースと、
前記パスゲートから、前記利用者が向かう目的地に関する目的地情報とともに前記利用者の通過を検知した通過検知信号を受信する情報受信手段と、
前記情報受信手段が受信した前記目的地情報に基づいて前記風景情報データベースを検索し、前記風景情報を取得する情報取得手段と、
前記情報受信手段が受信した前記通過検知信号に基づいて前記情報取得手段が取得した前記風景情報を前記利用者端末に送信する送信手段と
を有することを特徴とする風景情報提供システム。
【請求項４】
前記移動手段の利用開始を示すパスゲートから前記目的地情報が取得できなかった場合には、そのまま待機し、
前記利用者の通過を検知した前記移動手段の利用終了を示すパスゲートから前記情報受信手段が受信した該パスゲートの位置情報に基づいて、前記情報取得手段が前記風景情報データベースを検索し、前記風景情報を取得することを特徴とする請求項３に記載の風景情報システム。
【請求項５】
請求項１〜４のいずれかに記載の風景情報提供システムから前記風景情報を受信することを特徴とする利用者端末。
【請求項６】
前記風景情報に風景画像が含まれている場合には、ＨＭ入力部に受け付けた前記利用者の要望に応じて該風景画像をＨＭ出力部に出力することを特徴とする請求項５に記載の利用者端末。
【請求項７】
前記ルート情報の中に前記風景に出会う場所に至るための道を選択する分岐地点に関する分岐地点情報が含まれている場合には、前記風景情報提供システムから受信した前記風景情報を、該分岐地点情報ごとにＨＭ出力部に出力することを特徴とする請求項５または６に記載の利用者端末。
【請求項８】
自らの意思でその場所へ行ってその風景を眺めることによってその雰囲気に浸りたいと思う利用者の有する利用者端末に、該利用者がその雰囲気に浸るための風景に関する風景情報を提供する風景情報提供方法であって、
前記風景に向かう起点となる場所に関する起点情報と、該起点となる場所から前記風景に出会う場所に至るまでのルートに関するルート情報と、該前記風景に出会う場所において前記利用者が不意に風景が変わったかのように感じるための動作に関する動作情報によって構成される風景情報をあらかじめ風景情報データベースに記憶し、
前記利用者端末から該利用者端末を返信先として示す返信先情報とともに情報提供に関する要望を情報受信手段に受信すると、
前記情報受信手段が受信した前記要望に基づいて前記風景情報データベースを検索して前記要望に基づく前記風景情報を取得し、
取得した前記風景情報を前記返信先情報に基づいて前記利用者端末に送信することを特徴とする風景情報提供方法。
【請求項９】
自らの意思でその場所へ行ってその風景を眺めることによってその雰囲気に浸りたいと思う利用者の有する利用者端末に、該利用者の通過を検知するパスゲートからの受信信号に基づいて該利用者がその雰囲気に浸るための風景に関する風景情報を提供する風景情報提供方法であって、
前記風景に向かう起点となる場所に関する起点情報と、該起点となる場所から前記風景に出会う場所に至るまでのルートに関するルート情報と、該前記風景に出会う場所において前記利用者が不意に風景が変わったかのように感じるための動作に関する動作情報によって構成される風景情報をあらかじめ風景情報データベースに記憶し、
前記パスゲートから該パスゲートの位置情報とともに前記利用者の通過を検知した通過検知信号を情報受信手段に受信すると、
前記情報受信手段が受信した前記パスゲートの位置情報に基づいて前記風景情報を構成する起点情報に関して前記風景情報データベースを検索して前記風景情報を取得し、
前記情報受信手段が受信した前記通過検知信号に基づいて前記情報取得手段が取得した前記風景情報を前記利用者端末に送信することを特徴とする風景情報提供方法。
【請求項１０】
自らの意思でその場所へ行ってその風景を眺めることによってその雰囲気に浸りたいと思う利用者の有する利用者端末に、移動手段の利用開始を示すパスゲートが検知した該利用者の通過を示す受信信号に基づいて該利用者がその雰囲気に浸るための風景に関する風景情報を提供する風景情報提供方法であって、
前記風景に向かう起点となる場所に関する起点情報と、該起点となる場所から前記風景に出会う場所に至るまでのルートに関するルート情報と、該前記風景に出会う場所において前記利用者が不意に風景が変わったかのように感じるための動作に関する動作情報によって構成される風景情報をあらかじめ風景情報データベースに記憶し、
前記パスゲートから前記利用者が向かう目的地に関する目的地情報とともに前記利用者の通過を検知した通過検知信号を情報受信手段に受信すると、
前記情報受信手段が受信した前記目的地情報に基づいて前記風景情報データベースを検索して前記風景情報を取得し、
前記情報受信手段が受信した前記通過検知信号に基づいて前記情報取得手段が取得した前記風景情報を前記利用者端末に送信することを特徴とする風景情報提供方法。
【請求項１１】
前記移動手段の利用開始を示すパスゲートから前記目的地情報が取得できなかった場合には、そのまま待機し、
前記利用者の通過を検知した前記移動手段の利用終了を示すパスゲートから前記情報受信手段が受信した該パスゲートの位置情報に基づいて、前記情報取得手段は前記風景情報データベースを検索し、前記風景情報を取得することを特徴とする請求項１０に記載の風景情報方法。
【請求項１２】
前記風景情報には散文詩調で表現されている文章が少なくとも含まれることを特徴とする請求項８〜１１のいずれかに記載の風景情報提供方法。
【発明の詳細な説明】
【０００１】
【発明の属する技術分野】
本発明は、情報提供、特に情報提供を受けた利用者が風景に浸るための情報を提供する風景情報提供システム及び方法に関する。
【０００２】
【従来の技術】
観光地を歩く歩行者に情報を提供するシステムとして、特開２０００−０２８３９１号公報が挙げられる。この先行技術では、観光スポットに関する情報を歩行者の持つ端末にあらかじめ記憶し、観光スポットに接近した歩行者をその位置情報で検出して、検出した位置情報に対応する観光スポットの情報を記憶部より読み出してＨＭ出力部に出力している。ただし、このシステムは観光スポットに関する情報を提供しているに過ぎない。
【０００３】
【発明が解決しようとする課題】
これまでの観光情報とは、観光スポットという場所に関する単なる説明でしかなかった。それは例えば「ここはどういう場所であるのか」、「ここで以前こういうことがあった」などの説明であり、その風景を眺めることによってその雰囲気に浸るためにその場所を訪れた人にとっては何の役にも立たない、ジャマもの以外のなにものでもなかった。
【０００４】
ただし、気持ちよく浸れる風景にどうしたら出会えるのかという情報は、このような単なる説明文情報をジャマものにする人でも欲するところである。にも関わらず、このような人に対して「どこで、どのようにしたら」浸れる風景に出会えるかに関する情報を提供するという配慮が、これまでの情報提供システムの機能には無いという問題点があった。
【０００５】
観光情報は、単なる観光地に関する情報ではない。なぜ人は観光地を訪れるのか？に一歩も踏み込んでいないような「（観光を目的に来る人に対してなら）観光情報を提供すれば便利でしょ」という安易な考え方は、例えば「花を飾ればキレイでしょ」と全く同じ類の論理である。この誤りは、この喩えで説明すれば「どんなキレイな花でも時にはサービスになったり、時には逆におせっかいになったりしてしまう」という観点が欠けていたことによると思われる。
【０００６】
人の心（気持ち）は難しいものである。言わばこれまでの情報提供システムは、いかに効率よくローコストで情報が提供できるかに重きを置き、タイムリーさ（適時性）を利便性とするシステムであり、このような人の気持ちに配慮して情報提供における「情報そのもの」から情報提供システムにあるべき機能を考え直す必要がある。
【０００７】
【課題を解決するための手段】
本発明の本質は、自らの意思でその場所へ行ってその風景を眺めることによってその雰囲気に浸りたいと思う利用者に対して、その風景にはどこでどうしたら出会えるのかを利用者の有する利用者端末を介して利用者に伝え、起点となる場所から風景に出会う場所まで誘導し、不意に風景が変わったかのように感じるための動作を実行させることによって、「ある風景」の発見を実際に体感させ、その風景に浸ってもらうことにある。
【０００８】
本発明は、自らの意思でその場所へ行ってその風景を眺めることによってその雰囲気に浸りたいと思う利用者の有する利用者端末に、該利用者がその雰囲気に浸るための風景に関する風景情報を提供するために、前記風景に向かう起点となる場所に関する起点情報と、該起点となる場所から前記風景に出会う場所に至るまでのルートに関するルート情報と、該前記風景に出会う場所において前記利用者が不意に風景が変わったかのように感じるための動作に関する動作情報によって構成される風景情報をあらかじめ風景情報データベースに記憶し、前記利用者端末から該利用者端末を返信先として示す返信先情報とともに情報提供に関する要望を情報受信手段に受信すると、前記情報受信手段が受信した前記要望に基づいて前記風景情報データベースを検索して前記要望に基づく前記風景情報を取得し、取得した前記風景情報を前記返信先情報に基づいて前記利用者端末に送信するようにした。
【０００９】
その土地を訪れる楽しみのひとつに、風景を眺めることによってその雰囲気に浸ることが挙げられる。この雰囲気は写真や映像ではなかなか味わえないものであって、味わうためには実際にその場所へ赴かなければならないので、そう願う人の足をわざわざ観光地などと一般に呼ばれている場所へと向かわせることとなる。
【００１０】
ところが、「浸れる風景」というのはなかなか出会えるものではない。そこにはちょっとした盲点があり、実際にその場所まで行っているにも関わらず、出会えなかったりすることも多い。
【００１１】
なぜ出会えないのかについて、京都の実風景を例に説明する。図３３は京都の観光名所のひとつである東山の清水寺参道から八坂神社の方へ向かう途中にある三年坂（別名産寧坂）付近の地図である。
【００１２】
図２７は清水寺参道の風景であり、図に向かって正面方向へと参道を下りながらしばらく歩くと、図２８に示す風景のように三年坂への曲がり角に至る。曲がり角には七味屋があり、この目印を見落とすと大通りまで坂を下りきってしまう。無事に七味屋の角を曲がった風景が図２９であり、そのまま三年坂を下っていくと図３０に示す風景になる。ここでは「ひょうたん」がたくさんある店を左手に見ることになるが、正にこの場所（図３０に示す風景の場所）で振り返ったとすれば、思わず「あっ！」と言ってしまうような図３１に示す風景に出会える。
【００１３】
ところが、何気なく通り過ぎてしまうと単に振り返っても図３２に示す風景のように三年坂を下りてくる時に見ていた風景と何ら代わり映えのしない風景のままであって、特筆すべき驚きも発見もない。
【００１４】
つまり、しばしたたずんでしまうような浸れる風景というのは、その風景に出会う場所が必然的に存在し、その場所にいかに立てるかで出会えるものも出会えなくなってしまう。よって、最も大切な情報とは、浸れる風景に出会える場所に関する情報であって、それは利用者が実際にその場所に立ってみるための言わば立ち位置に関する情報であることを意味する。
【００１５】
さらに、風景の発見による驚きは人をたたずましてしまう演出にはもってこいである。風景には人がある動作を実行することによって不意に変わったかのように感じる瞬間があって、あまりにも風景が変わってしまうと人はその場にたたずんでしまうようである。図３０に示す風景で振り返ると図３１に示す風景に出会えるのはその例であり、振り返るという行動の他にも、風景に出会う場所において利用者が不意に風景が変わったかのように感じるための動作には、例えば、「角を曲がる」、「（通り、通路などを）通り抜ける」、「（階段、坂などを）上りきる」、「立ち止まって、右（左）を向く」などの動作がある。このように不意に風景が変わったかのように感じるための動作であれば、その種類は問わない。
【００１６】
また、このように風景の発見を演出するにはどちらから向かうかも実は重要で、京都の実風景を用いて説明すれば、図３２の方から坂を上がってきた場合には不意に風景が変わる要素がないだけに、発見をして驚くような効果があまりない。よって、利用者端末に送信する風景情報には演出上、浸れる風景に向かう起点の情報と起点から浸れる風景に至るルートの情報を含んでいなければならない。
【００１７】
なお、利用者端末を介して風景情報を配信するのには、近くまで来ていることは間違いないのに、辿りつけない利用者を導くためという重要な意味がある。例えば風景に浸りたいと願う利用者が、その傍にいる人に聞いても「よく知らない」との答えが返ってくることがよくある。これは聞いた相手が不親切なのではなく、その気がなく、例えば周りの風景を浸るつもりで見ていなかっただけという単純に関心度合の差であることが多いためである。
【００１８】
また、浸れる風景は案外気が付かない類（たぐい）のものであるため、利用者端末がＨＭ出力部に出力する風景画像で誘導したり、風景に出会う場所に至るための道を選択する分岐地点ごとに風景情報を出力したりするとよい。分岐地点を見落とさないように配慮した情報であれば、先述したように大通りまで下りきってしまうような行き違いを、より防ぐことが出来る。
【００１９】
また、利用者の通過を検知するパスゲートを用いることで、前記パスゲートから該パスゲートの位置情報とともに前記利用者の通過を検知した通過検知信号を情報受信手段に受信すると、前記情報受信手段が受信した前記パスゲートの位置情報に基づいて前記風景情報を構成する起点情報に関して前記風景情報データベースを検索して前記風景情報を取得し、前記情報受信手段が受信した前記通過検知信号に基づいて前記情報取得手段が取得した前記風景情報を前記利用者端末に送信してもよい。
【００２０】
利用者の通過を検知するパスゲートを用いると、通過したパスゲートの位置情報が利用者の位置情報そのものであると見なすことが出来るので、利用者がいる場所から行きやすい風景情報を提供することが出来る。なお、利用者が通過したパスゲートを時間軸でつなぐと、利用者の行動の軌跡を取得することが出来るので、利用者の行動予測に用いれば先回りしたサービスへの応用にも活用できる。
【００２１】
なお、ここで言うところのパスゲートとは、人とシステムの接点であり、例えば利用者を検知、または利用者検知媒体や利用者端末を検知して、その検知情報を情報提供システムに送信する。パスゲートの具体例としては、まず建物や屋外に設置されるカードゲートや参加者が踏む場所の上面に設置される媒体読み取り装置などが挙げられる。つまり、パスゲートとしては利用者の検知ができれば、その手段を問わない。
【００２２】
また、移動手段の利用開始を示すパスゲートを用いることで、前記パスゲートから前記利用者が向かう目的地に関する目的地情報とともに前記利用者の通過を検知した通過検知信号を情報受信手段に受信すると、前記情報受信手段が受信した前記目的地情報に基づいて前記風景情報データベースを検索して前記風景情報を取得し、前記情報受信手段が受信した前記通過検知信号に基づいて前記情報取得手段が取得した前記風景情報を前記利用者端末に送信してもよい。
【００２３】
移動手段を用いて目的地まで移動する利用者は、必然的に目的地までの到着時間がかかるので、この時間を利用者は想いをめぐらすひとときに活用することが出来る。このようにゆったりと想いをめぐらす時間を持つことは、実際に風景に出会った際に利用者３がより浸ることの出来る演出となっていく。
【００２４】
また、前記移動手段の利用開始を示すパスゲートから前記目的地情報が取得できなかった場合には、そのまま待機し、前記利用者の通過を検知した前記移動手段の利用終了を示すパスゲートから前記情報受信手段が受信した該パスゲートの位置情報に基づいて、前記情報取得手段は前記風景情報データベースを検索し、前記風景情報を取得してもよい。
【００２５】
なお、移動手段の利用開始を示すパスゲートから目的地情報が取得できなかった場合には、移動手段の利用終了を示すパスゲートから利用者の通過した通過検知信号の受信するまでそのまま待機しなくとも利用者端末に利用者が向かう目的地を直接、問い合わせてもよい。
【００２６】
なお、ここで言うところの移動手段の利用開始または移動終了を示すパスゲートとは、例えば公共交通機関駅の構内などに設置される自動改札（駅構内への利用者の入退出を管理する機能を持つ装置）などの街のインフラ（産業基盤である社会資本のことであり、生活関連の社会資本を含む）として設置されたものや、公共交通機関の移動体の乗降車口や、利用者が自ら運転する（もしくは同乗する）乗用車などを駐車する駐車場ゲートなどがある。
【００２７】
また、前記風景情報には散文詩調で表現されている文章が少なくとも含まれるとよい。なぜなら、風景に浸っている利用者は風景に酔っている状態であり、風景に浸りたいと願って、風景情報を見た後の利用者は実際に風景に浸っている光景に（風景に浸っている自らの姿を想像するだけで）すでに酔ってしまっているので、より酔える散文調の文章は風景情報の記述として好ましいと言える。つまり、より酔える演出はそれが文章であれ、浸る風景に出会う場所へと利用者の気持ちをかき立てるのである。
【００２８】
【発明の実施の形態】
以下に、本発明に係る風景情報提供システムの具体的実施の形態を図面を参照して詳細に説明する。
【００２９】
図１は、本発明の実施形態におけるシステム全体図を説明するブロック図である。
【００３０】
同図において、風景情報提供システム１は、風景を眺めることによってその雰囲気に浸りたいと思う願い（願望）を持つ利用者３の持つ利用者端末４に、風景情報ＤＢ（データベース）２から風景に浸るための情報である風景情報を提供する。風景情報は風景情報提供システム１が示す基準または事例に基づいて、作成者（風景情報作成者）５が実際に浸るための風景に出会う場所で感じた風景を風景情報にして作成者端末６に入力する。作成者端末６に入力された風景情報は風景情報ＤＢ２に記憶される。
【００３１】
図２は、図１における風景情報を説明する図である
【００３２】
同図において、風景情報は大別して２つの構成要素によって成り立っており、ひとつが「そこへはどう行ったら出会えるかを示す情報」に属する起点情報とルート情報であり、もうひとつが「とある場所で、とある行為によって不意に風景が変わることを示す情報」に属する動作情報である。
【００３３】
ここで言うところの起点情報とは、浸るための風景に向かう起点となる場所に関する情報のことである。同様に、ルート情報とは、起点となる場所から浸るための風景に出会う場所に至るまでのルートに関する情報のことである。同様に、動作情報とは、浸るための風景に出会う場所において利用者３が不意に風景が変わったかのように感じるための動作に関する情報のことである。
【００３４】
風景に出会う場所において利用者３が不意に風景が変わったかのように感じるための動作には、例えば、「角を曲がる」、「（通り、通路などを）通り抜ける」、「（階段、坂などを）上りきる」「振り返る」、「立ち止まって、右（左）を向く」などの動作がある。これらの動作は。利用者３が不意に風景が変わったかのように感じるための動作であれば何でもよい。
【００３５】
なお、ルート情報によって利用者３が導かれる場所となる浸れる風景に出会う場所とは、動作情報に含まれる動作を実行するための、言わば立ち位置となる場所のことであり、その場所に立って動作を実行することによって不意に風景が変わることを体感する。
【００３６】
図３は、本発明の実施形態における風景情報提供システムを利用する利用者の心理モデルと行動モデルを説明する図である。
【００３７】
同図において、そもそも風景（を眺めることによって、その雰囲気）に浸りたいと思う願望を持っている利用者３は、不意に風景が変わることに興味がそそられるものであり、そこへはどう行ったら出会えるかを示す情報に影響されて、その場所へ自らの意思でその情報のとおりに行ってみる。そこで不意に風景が変わったかのように感じるための動作を風景情報に従って実行してみると、その（風景が不意に変わるという）光景を目の当たりにすることによって、発見の瞬間、暫し（しばし）たたずんでしまう。利用者３はこの暫したたずむことで、思わず風景に浸ることとなり、風景が心に染み込んでいくという感覚を実感できる。元々持っていた、風景に浸りたいと思う願望がこのように実感することによって初めて気持ちが満たされていく。それは、利用者３が、例えば「あぁ、これか・・・これがそうなんだ」と思えるときのことである。
【００３８】
図４は、本発明の実施形態におけるシステム全体図を説明するブロック図である。
【００３９】
同図は、利用者３と同じ立場である応募者８が、浸るための風景に出会う場所で自ら感じた実感を多くの人にも知ってもらいたい、共感してもらいたい気持ちから、風景情報を応募する場合である。同図において、風景情報提供システム１が示す募集要項または事例に基づいて、応募者（風景情報応募者）８が実際に感じた風景を応募者端末９も用いて入力することで応募する。応募者８が応募した応募作品は完璧なものである必要はなく、最低限本発明における風景情報になり得るエッセンスを含んでいればよい。この場合、風景情報提供システム１が示す審査基準に基づいてシステムの運営側である審査者が審査し、基準を満たしたものを風景情報ＤＢ２に登録をすればよく、登録の際にコピーライタが洒落た表現の文章に直すような修正を加えてもよい。
【００４０】
毎年多くの人が訪れる京都を例にすると、京都市産業観光局資料によれば京都は年間約４０００万人（２０００年は４０５１万人）の人が訪れ、何度も訪れるリピータの割合が多い（５回以上が１９％。１０回以上が実に５４％）。リピータが多いということは、その場所に愛着を持って訪れる人たちが多いことを意味しており、この人たちはその場所が「本当に好き」ということを示している。この「本当に好き」という気持ちを共有化するために、この愛着を持ってくれている人たちに応募者８となってもらう機会を提供する。観光でその場所を訪れた人たちが聞きたいことを住人が答えられるとは限らないのは、立場が異なるからでもある。住人だけが市民ではなく、その場所に愛着を持ってその場所を訪れる人たちを観光市民とするならば、このような観光市民が自らの気持ちを応募者８として共有化するための仕組みがあってもよい。
【００４１】
図５は、本発明の実施形態における風景情報提供システムサーバのハードブロック図である。
【００４２】
同図は風景情報提供システム１の主要部分をサーバで構成する場合である。同図において、サーバ操作者１１とは風景情報提供システムサーバ１０の操作者で、サーバの管理（運営、監視、維持などを含む）者のことである。ＨＭ（ヒューマンマシン）入出力部１２とは、風景情報提供システムサーバ１０がサーバ操作者１１と種々のやりとりをするための入出力機能を持つ部位である。入力装置としては、例えばキーボード、テンキー、マウス、バーコードリーダなどが該当し、サーバ操作者１１の入力がシステムに対して情報を伝達するものなら、その種類は問わない。また出力装置としては、例えばディスプレイ、プリンタなどが該当し、サーバ操作者１１に対してシステムから情報を伝達できるものなら、その種類は問わない。演算部１３とは、プログラムを実行することによって各機能を駆動、処理するための演算機能を持つ部位であり、一般にＣＰＵ（中央演算装置）で構成される。メモリ部１４とは、演算部１３が実行するプログラムの実行エリアの部位である。通信部１５とは、ネットワーク７を介した外部との通信を制御する部位である。ネットワーク認証部１６とは、ネットワーク７や外部機器との認証機能を持つ部位である。ＤＢ管理部１７とは、様々なデータ構造とデータ実体を管理する機能を持つ部位である。ＤＢ管理部１７に管理される処理プログラム１８とは、風景情報提供システムサーバ１０の利用目的を達成するために必要なプログラムのことであり、ＯＳ（オペレーションシステム）もここに含まれる。同様に風景情報ＤＢ２とは、あらかじめ風景情報提供システムサーバ１０が風景情報を記憶するデータベースのことである。なお、風景情報ＤＢ２に記憶される内容は、作成者５と応募者８が提供する風景情報によって随時更新されていく。同様に作成者用プログラム１９とは、作成者５が作成者端末６で風景情報作成の際に実行するプログラムやそれに付随してサーバが提供する作成基準や事例などのデータを記憶するデータベースのことである。同様に応募者用プログラムとは応募者８が応募者端末９で風景応募の際に実行するプログラムやそれに付随してサーバが提供する応募基準や事例などのデータを記憶するデータベースのことである。同様にその他のプログラム・データ２１は、上記以外の例えばサーバ操作者１１使用するワードプロセッサや表計算プログラムなどのアプリケーションソフトウェアやそれらに付随するデータなどが該当する。
【００４３】
図６は、本発明の実施形態における利用者端末のハードブロック図である。
【００４４】
同図において、ＨＭ入出力部２２とは、利用者端末４が利用者３と種々のやりとりをするための入出力機能を持つ部位であり、送受信部２５とは、ネットワーク７を介して風景情報提供システムサーバ１０と情報の送受信を行う機能を持つ部位である。
【００４５】
図７は、本発明の実施形態における作成者端末のハードブロック図である。
【００４６】
同図において、ＨＭ入出力部２６とは、作成者端末６が作成者５と種々のやりとりをするための入出力機能を持つ部位である。
【００４７】
図８は、本発明の実施形態における応募者端末のハードブロック図である。
【００４８】
同図において、ＨＭ入出力部３０とは、応募者端末９が応募者８と種々のやりとりをするための入出力機能を持つ部位である。
【００４９】
図９は、本発明の実施形態における風景情報提供システムサーバ及び作成者端末の機能ブロック図である。
【００５０】
同図において、風景情報提供システムサーバ１０は、作成者用プログラム１９から風景情報作成に必要なプログラムを取得する機能と、取得したプログラムを作成者端末６に送信する機能を有する。作成者５が風景情報作成に用いる作成基準や事例などのデータはプログラムと同時に取得するとよい。作成者端末６は、風景情報提供システムサーバ１０から風景情報作成に必要なプログラムを受信する機能と、受信した風景情報作成プログラムに基づいて作成画面をＨＭ出力部に出力する機能を有し、作成者５が作成画面に基づいて風景情報の入力をＨＭ入力部から受け付ける機能と、受け付けた風景情報を風景情報提供システムサーバ１０に送信する機能を有する。さらに、風景情報提供システムサーバ１０は、作成者端末６から風景情報を受信する機能と、受信した風景情報を風景情報ＤＢ２に記憶する機能を有する。
【００５１】
図１０は、本発明の実施形態における利用者端末及び風景情報提供システムサーバの機能ブロック図である。
【００５２】
同図において、利用者端末４は、利用者３がＨＭ入力部から入力した風景情報メニュの取得要求を受け付ける機能と、メモリ部２４から利用者端末４のネットワーク通信用アドレスを取得する機能と、取得したアドレスとともに風景情報メニュの取得要求を風景情報提供システムサーバ１０に送信する機能を有する。風景情報メニュとは、風景情報提供システムサーバ１０が提供できる風景情報の項目や名称を利用者３に示すものであり、風景に出会う場所がある地域や風景の種類などのカテゴリであらかじめ分類されているとよく、文字情報以外にも画像情報を用いてもよい。ネットワーク通信用アドレスとは、利用者端末４がネットワーク７を介して外部の機器と通信する際の利用者端末４を示す返信先として相手先に指定するためのコードのことである。風景情報提供システムサーバ１０は、利用者端末４から風景情報メニュの取得要求を受信する機能と、受信した取得要求に基づいて風景情報メニュを風景情報ＤＢ２から取得する機能と、取得した風景情報メニュを利用者端末４に送信する機能とを有する。さらに、利用者端末４は、風景情報提供システムサーバ１０から風景情報メニュを受信する機能と、受信した風景情報メニュをＨＭ出力部に出力する機能を有する。利用者３は、風景情報提供システムサーバ１０から取得した風景情報メニュに基づいて、所望する風景情報を選択する。
【００５３】
図１１は、本発明の実施形態における利用者端末及び風景情報提供システムサーバの機能ブロック図である。
【００５４】
同図は図１０に示す機能ブロック図に続く処理に関する機能ブロック図である。ただし、風景情報メニュの取得をしなくとも、利用者３が風景情報提供システム１から所望の風景情報を取得できるのであれば、図１０に示す機能ブロック図の処理は不要となる。同図において、利用者端末４は、利用者３がＨＭ入力部から入力した風景情報の取得要求を受け付ける機能と、メモリ部２４から利用者端末４のネットワーク通信用アドレスを取得する機能と、取得したアドレスとともに風景情報の取得要求を風景情報提供システムサーバ１０に送信する機能を有する。風景情報提供システムサーバ１０は、利用者端末４から風景情報の取得要求を受信する機能と、受信した取得要求に基づいて風景情報を風景情報ＤＢ２から取得する機能と、取得した風景情報を利用者端末４に送信する機能とを有する。さらに、利用者端末４は、風景情報提供システムサーバ１０から風景情報を受信する機能と、受信した風景情報をＨＭ出力部に出力する機能を有する。
【００５５】
図１２は、本発明の実施形態における風景情報提供システム及び作成者端末の演算部におけるフローチャートである。
【００５６】
同図において、風景情報提供システムサーバ１０は、風景情報作成プログラムの送信指示を受け付けると（ＳＴ１２０１）、指示された風景情報作成プログラムを作成者用プログラム１９から取得して作成者端末６へ送信する（ＳＴ１２０２）。作成者端末６は、風景情報提供システムサーバ１０から風景情報作成プログラムを受信すると、受信した風景情報作成プログラムに基づいて風景情報作成画面をＨＭ出力部に出力し（ＳＴ１２０３）、ＨＭ出力部に出力した作成画面に基づいてＨＭ入力部から風景情報の入力があった場合には（ＳＴ１２０４）、ＨＭ入力部からの入力によって取得した風景情報を風景情報提供システムサーバ１０に送信して（ＳＴ１２０５）、処理を終了する。風景情報提供システムサーバ１０は、作成者端末６から作成者５によって作成された風景情報を受信すると、受信した風景情報を風景情報ＤＢ２に記憶して（ＳＴ１２０６）、処理を終了する。
【００５７】
図１３は、本発明の実施形態における利用者端末及び風景情報提供システムサーバの演算部におけるフローチャートである。
【００５８】
同図において、利用者端末４は、利用者３から風景情報メニュ取得の要求を受け付けると（ＳＴ１３０１）、メモリ部２４から利用者端末４のネットワーク通信用アドレスを取得して、風景情報提供システムサーバ１０に風景情報メニュ取得の要求を送信する（ＳＴ１３０２）。風景情報提供システムサーバ１０は、利用者端末４から風景情報メニュの取得要求を受信すると、受信した取得要求に基づいて風景情報メニュを風景情報ＤＢ２から取得し（ＳＴ１３０３）、取得した風景情報メニュを利用者端末４に送信して（ＳＴ１３０４）、処理を終了する。利用者端末４は、風景情報提供システムサーバ１０から風景情報メニュを受信すると、利用者３に対して受信した風景情報メニュをＨＭ出力部に出力して（ＳＴ１３０５）、処理を終了する。
【００５９】
図１４は、本発明の実施形態における利用者端末及び風景情報提供システムサーバの演算部におけるフローチャートである。
【００６０】
同図において、利用者端末４は、利用者３から風景情報取得の要求を受け付けると（ＳＴ１４０１）、メモリ部２４から利用者端末４のネットワーク通信用アドレスを取得して、風景情報提供システムサーバ１０に利用者３が所望した風景情報取得の要求を送信する（ＳＴ１４０２）。風景情報提供システムサーバ１０は、利用者端末４から風景情報の取得要求を受信すると、受信した取得要求に基づいて風景情報を風景情報ＤＢ２から取得し（ＳＴ１４０３）、取得した風景情報を利用者端末４に送信して（ＳＴ１４０４）、処理を終了する。利用者端末４は、風景情報提供システムサーバ１０から風景情報を受信すると、利用者３に対して受信した風景情報をＨＭ出力部に出力して（ＳＴ１４０５）、処理を終了する。
【００６１】
図１５は、本発明の実施形態における応募者端末及び風景情報提供システムサーバの機能ブロック図である。
【００６２】
同図において、応募者端末９は、応募者８がＨＭ入力部から入力した風景情報応募要項の取得要求を受け付ける機能と、メモリ部３２から応募者端末９のネットワーク通信用アドレスを取得する機能と、取得したアドレスとともに風景情報応募要項の取得要求を風景情報提供システムサーバ１０に送信する機能を有する。風景情報応募要項とは、風景情報提供システムサーバ１０が風景情報と認め、風景情報ＤＢ２に登録してくれるための応募条件をまとめた情報のことである。応募要項には著作権の帰属についての説明や応募結果を通知するか否かについての説明が加えられてもよい。ネットワーク通信用アドレスとは、応募者端末９がネットワーク７を介して外部の機器と通信する際の応募者端末９を示す返信先として相手先に指定するためのコードのことである。風景情報提供システムサーバ１０は、応募者端末９から風景情報応募要項の取得要求を受信する機能と、受信した風景情報応募要項の取得要求に基づいて風景情報応募要項を風景情報ＤＢ２から取得する機能と、取得した風景情報応募要項を応募者端末９に送信する機能とを有する。さらに、応募者端末９は、風景情報提供システムサーバ１０から風景情報応募要項を受信する機能と、受信した風景情報応募要項をＨＭ出力部に出力する機能を有する。
【００６３】
図１６は、本発明の実施形態における応募者端末及び風景情報提供システムサーバの機能ブロック図である。
【００６４】
同図において、応募者端末９は、応募者８がＨＭ入力部から入力した風景情報の応募作品を受け付ける機能と、メモリ部３２から応募者端末９のネットワーク通信用アドレスを取得する機能と、取得したアドレスとともに風景情報応募作品の情報を風景情報提供システムサーバ１０に送信する機能を有する。風景情報の応募作品とは、風景情報提供システムサーバ１０から入手した応募要項に基づいて、応募者８が自ら感じた風景に関しての情報を風景情報提供システム１に提供したものである。風景情報提供システムサーバ１０は、応募者端末９から風景情報の応募作品を受信する機能と、受信した風景情報応募作品を風景情報ＤＢ２に記憶する機能を有する。
【００６５】
図１７は、本発明の実施形態における風景情報提供システムサーバ及び作成者端末の機能ブロック図である。
【００６６】
同図は、応募者８が応募した風景情報の応募作品の審査を作成者５にさせるとともに、必要であれば修正を加えさせる仕組みである。修正の指示は審査基準に付与しておけばよく、応募作品に手を加える必要があると判断した作成者５は修正を実行する。同図において、風景情報提供システムサーバ１０は、風景情報ＤＢ２に記憶される未審査の応募作品があった場合には、未審査の応募作品を審査基準とともに風景情報ＤＢ２から取得する機能と、取得した応募作品の情報と審査基準を作成者端末６に送信する機能を有する。応募作品を作成者５に審査させるために未審査の応募作品を風景情報ＤＢ２から取得するのは、応募作品を受信した都度でも、一定量の応募作品を受け付けた際でも、一定期間経過した際でもよい。作成者端末６は、風景情報提供システムサーバ１０から風景情報の応募作品と審査基準を受信する機能と、受信した応募作品と審査基準をＨＭ出力部に出力する機能と、ＨＭ出力部に出力した審査基準に基づいて、作成者５が応募作品の審査結果の入力を受け付ける機能と、受け付けた審査結果を風景情報提供システムサーバ１０に送信する機能を有する。さらに、風景情報提供システムサーバ１０は、送信した応募作品について作成者端末６から審査結果を受信する機能と、受信した審査結果を風景情報ＤＢ２に記憶する機能を有する。
【００６７】
図１８は、本発明の実施形態における応募者端末及び風景情報提供システムサーバの演算部におけるフローチャートである。
【００６８】
同図において、応募者端末９は、応募者８から風景情報応募要項の取得の要求を受け付けると（ＳＴ１８０１）、メモリ部３２から応募者端末９のネットワーク通信用アドレスを取得して、風景情報提供システムサーバ１０に風景情報応募要項の取得の要求を送信する（ＳＴ１８０２）。風景情報提供システムサーバ１０は、応募者端末９から風景情報応募要項の取得要求を受信すると、受信した取得要求に基づいて風景情報応募要項を風景情報ＤＢ２から取得し（ＳＴ１８０３）、取得した風景情報応募要項を応募者端末９に送信して（ＳＴ１８０４）、処理を終了する。応募者端末９は、風景情報提供システムサーバ１０から風景情報応募要項を受信すると、応募者８に対して受信した風景情報応募要項をＨＭ出力部に出力して（ＳＴ１８０５）、処理を終了する。
【００６９】
図１９は、本発明の実施形態における応募者端末及び風景情報提供システムサーバの演算部におけるフローチャートである。
【００７０】
同図において、応募者端末９は、応募者８から風景情報応募作品の送信の要求を受け付けると（ＳＴ１９０１）、メモリ部３２から応募者端末９のネットワーク通信用アドレスを取得して、風景情報提供システムサーバ１０に風景情報応募作品を送信して（ＳＴ１９０２）、処理を終了する。風景情報提供システムサーバ１０は、応募者端末９から応募作品を受信すると、受信した応募作品を風景情報ＤＢ２に記憶して（ＳＴ１９０３）、処理を終了する。
【００７１】
図２０は、本発明の実施形態における風景情報提供システム及び作成者端末の演算部におけるフローチャートである。
【００７２】
同図において、風景情報提供システムサーバ１０は、未審査の応募作品の送信指示を受け付けると（ＳＴ２００１）、指示された未審査応募作品を審査基準とともに風景情報ＤＢ２から取得して作成者端末６へ送信する（ＳＴ２００２）。作成者端末６は、風景情報提供システムサーバ１０から応募作品と審査基準を受信すると、受信した応募作品と審査基準をＨＭ出力部に出力し（ＳＴ２００３）、ＨＭ出力部に出力した審査基準に基づいてＨＭ入力部から応募作品の審査結果の入力があった場合には（ＳＴ２００４）、ＨＭ入力部からの入力によって取得した審査結果を風景情報提供システムサーバ１０に送信して（ＳＴ２００５）、処理を終了する。応募作品に修正が必要な場合には、審査基準に付与された修正指示に基づいて、作成者５が審査した応募作品に修正を実行した結果が審査結果とともに送信される。風景情報提供システムサーバ１０は、作成者端末６から作成者５によって審査された審査結果を受信すると、受信した審査結果を風景情報ＤＢ２に記憶して（ＳＴ２００６）、処理を終了する。
【００７３】
図２１は、本発明の実施形態における風景情報の作成者による風景情報作成手順の具体例を説明するブロック図である。
【００７４】
同図は、図９に示す機能ブロック図に対応している。同図において、実際の風景が動画像で作成者５に提供され、同時に与えられた作成ガイドラインや他の風景情報の事例を参考にして、作成者５が文章で風景情報を表現する。作成ガイドラインには、例えばチェック項目が箇条書きとなったチェックリストが付与されていてもよく、このチェックリストの項目を作成者５がチェックするなどの工夫は、風景情報提供システム１が提供する風景情報の品質を一定レベル以上に維持することに寄与する。作成者５によって作成された風景情報は、作成者端末６を介して風景情報提供システムサーバ１０に送信され、風景情報ＤＢ２に記憶される。風景情報の元となる動画像は、例えば起点場所、起点場所から浸れる風景に出会う場所に至るルート、浸れる風景に出会う場所、浸れる風景に出会う場所で行う動作によって不意に変わる風景などのパートで構成されていて、要点が押さえてあれば起点から不意に変わる風景まで連続して撮像されてなくともよい。
【００７５】
なお、図１に示すように作成者５が実際に浸る風景に出会う場所に取材に行く場合には、この動画像は不要となり、現場で実際に感じたことをシステムが提供する作成ガイドラインに従って表現すればよい。
【００７６】
図２２は、本発明の実施形態における散文詩調の文章で表現された風景情報の効果について説明するブロック図である。
【００７７】
同図において、利用者３は散文詩調で表現された風景情報を見ると、自然にその風景に浸っている状態をイメージ（空想）しており、イメージすることで風景情報の文章にすでに酔っている状態となる。この風景情報の文章に酔っている状態が、実際の風景に酔っている状態と同種の感覚であり、利用者３の風景に浸りたいという願望を刺激する。つまり、文章の中でも「より酔える」文章である散文詩調の文章は風景情報に適している。
【００７８】
図２３は、本発明の実施形態における散文詩調の文章で表現された風景情報を出力する利用者端末の具体例を説明する図である。
【００７９】
同図において、利用者端末４の表示画面には「清水寺の参道を下り、七味屋の角を曲がって三年坂に至る。陶器店を左手に見ながらひょうたんの店の前で立ち止まってみる。・・・今、来た道を振り返れば、そこに見えたのは京都でした」の散文詩調で表現された風景情報が表示されている。
【００８０】
この風景情報の中で、起点となる場所が「清水寺の参道」であり、ルート情報が「七味屋の〜ひょうたんの店の前で立ち止まってみる」であり、動作情報のうち不意に風景が変わったかのように感じるための動作が「振り返ってみれば」である。なお、ここに示すルート情報のうち風景に出会う場所が「ひょうたんの店の前」である。また、図２４に示す分岐地点情報に相当するのが「七味屋の角」である。
【００８１】
図２４〜図３６では、ルート情報に含まれる分岐地点情報を活用する場合の実施例について説明する。
【００８２】
図２４は、図２とは別の場合のルート情報に分岐地点情報を含む風景情報を説明する図である。
【００８３】
同図において、ルート情報に含まれる分岐地点情報とは、起点となる場所から風景に出会う場所に至るまでのルート中の分岐地点に関する情報のことである。見落としやすい場所や、進路が変更となる場所を分岐地点とするとよい。
【００８４】
図２５は、本発明の実施形態における風景情報の作成者による風景情報作成手順の具体例を説明するブロック図である。
【００８５】
同図において、ルート情報の中に分岐地点が含まれる場合には、作成者５は分岐地点で区切られた部分ごとに文章情報を作っていく。こうして分岐地点に配慮して作られた風景情報のうち、起点を含む風景情報が第１の風景情報であり、順に第２、第３の風景情報と続き、風景に出会う場所で不意に風景が変わる動作を含む風景情報が最後の風景情報となる。利用者端末４には、第１の風景情報から最後の風景情報まで、この順番でＨＭ出力部に出力されていく。
【００８６】
図２６は、本発明の実施形態における利用者端末の演算部におけるフローチャートである。
【００８７】
同図において、利用者端末４は、風景情報出力の要求を受け付けると（ＳＴ２６０１）、風景情報に未出力の分岐地点情報のありか否かを判定し（ＳＴ２６０２）、分岐地点情報があった場合には、分岐地点で区切られた部分までをＨＭ出力部に出力し（ＳＴ２６０３）、利用者３からＨＭ入力部から確認を示す情報の入力ありか否かを判定し（ＳＴ２６０４）、入力があるまで他の処理を実行して待機して、入力があればＳＴ２６０２に戻る。ＳＴ２６０２の判定処理で分岐地点情報が未出力の分岐地点情報がなかった場合には、風景情報を最後までＨＭ出力部に出力して（ＳＴ２６０５）、処理を終了する。このように、分岐地点ごとにルート情報を出力することによって、利用者３が風景に出会う場所まで至るのに、その途中で迷いにくくなる効果が期待できる。
【００８８】
図２７〜図３１は、図２６に示す処理を利用者端末４が実行した場合に、利用者端末４の風景情報の出力例と実際の風景のイメージを示したものである。
【００８９】
図２７は、本発明の実施形態における利用者端末の風景情報の出力例と実際の風景のイメージを示す図である。
【００９０】
同図において、利用者端末４は、風景情報として表示部に「清水寺の参道を下り、七味屋の角を曲がって三年坂に至る」を表示し、「次へ」のスイッチ（より具体的には、ＨＭ入力部のスイッチに対応したスイッチ表示）を表示している。利用者３は、利用者端末４を見ながら、例えば「ええっと。清水寺の参道を下り、っと」などの言葉を口にしながら、道沿いにそのまま歩いていく。
【００９１】
図２８は、本発明の実施形態における利用者端末の風景情報の出力例と実際の風景のイメージを示す図である。
【００９２】
同図において、利用者端末４は、風景情報として表示部に「清水寺の参道を下り、七味屋の角を曲がって三年坂に至る」を表示し、「次へ」のスイッチを表示している。利用者３は、利用者端末４を見ながら、例えば「七味屋の角を曲がって」などの言葉を口にしながら、角を曲がり「次へ」のスイッチを押す。
【００９３】
図２９は、本発明の実施形態における利用者端末の風景情報の出力例と実際の風景のイメージを示す図である。
【００９４】
同図において、利用者端末４は、風景情報として表示部に「陶器店を左手に見ながら、ひょうたんの店の前で立ち止まってみる」を表示し、「次へ」のスイッチを表示している。利用者３は、利用者端末４を見ながら、例えば「陶器店を左手にみながら・・・」などの言葉を口にしながら、道沿いにそのまま歩いていく。
【００９５】
図３０は、本発明の実施形態における利用者端末の風景情報の出力例と実際の風景のイメージを示す図である。
【００９６】
同図において、利用者端末４は、風景情報として表示部に「陶器店を左手に見ながら、ひょうたんの店の前で立ち止まってみる」を表示し、「次へ」のスイッチを表示している。利用者３は、利用者端末４を見ながら、例えば「ひょうたんの店の前で立ち止まってみる、っと」などの言葉を口にしながら、立ち止まって「次へ」のスイッチを押す。
【００９７】
図３１は、本発明の実施形態における利用者端末の風景情報の出力例と実際の風景のイメージを示す図である。
【００９８】
同図において、利用者端末４は、風景情報として表示部に「・・・今、来た道を振り返れば、そこに見えたのは京都でした」を表示し、「戻る」のスイッチを表示している。利用者３は、利用者端末４を見ながら、例えば「今、来た道を振り返れば、っと」などの言葉を口にしながら、その場で振り返ってみる。実際に振り返った風景が図３１に示す風景であり、図３０に示す風景から図３１に示す風景への不意に変わる、その代わり映えに驚き、例えば「あっ！」という驚きの声をあげるようである。また、この驚きによって、利用者３は暫しその場にたたずむことになり、たたずむことでその風景に思わず浸ることになる。
【００９９】
図３２は、本発明の実施形態における風景情報提供システムを使わなかった場合の実際の風景イメージを示す図である。
【０１００】
同図において、利用者３は三年坂を下りて、単に振り返っただけだとこのように代わり映えのしない風景であり、格段の驚きもなく、風景に浸ることもない。
【０１０１】
図３３は、図２７〜図３１に示す風景の位置関係を補足的に説明する地図である。
【０１０２】
同図において、清水寺参道から三年坂へと曲がる場所が分岐地点であり、ひょうたんのある店のちょうど前が振り返ると不意に風景が変わる立ち位置（浸る風景に出会う場所）である。
【０１０３】
図３４は、図３５、図３６に示す本発明の実施形態における利用者端末の画像を添付した風景情報の作成手順の具体例を説明するブロック図である。
【０１０４】
同図において、起点から浸る風景までの映像は風景情報提供システムサーバ１０の処理プログラム１８によって、または作成者５の人為的な処理によって分岐地点映像で映像分割される。処理プログラム１８による分岐地点映像での分割処理は、例えば映像の変化度合量で判定する方法などがあり、仮に誤差（分岐地点以外で映像分割すること）を含んでいたとしても、例えば作成者５に確認指示をすることにより人為的に補える。こうして作成された風景情報は、図２５に示す風景情報に映像が付与されたものとなる。なお、映像分割された画像量が多いが場合には、一定量または一定時間内となるように映像の間引きや部分的カットをするとよい。
【０１０５】
図３５は、本発明の実施形態における風景映像が添付された風景情報を出力する利用者端末の具体例を説明する図である。
【０１０６】
同図において、図３４に示す第１の風景情報に添付した風景画像を表示画面に表示した具体例である。風景情報が文章で表現された表示画面に「風景画像」のスイッチが表示されており、押すと風景画像が表示される。静止画像で表示した場合と動画像で表示した場合をそれぞれ示した。
【０１０７】
図３６は、本発明の実施形態における風景映像が添付された風景情報を出力する利用者端末の具体例を説明する図である。
【０１０８】
同図において、図３５と同様に図３４に示す最後の風景情報に添付した風景画像を表示画面に表示した具体例である。風景情報が文章で表現された表示画面に「風景画像」のスイッチが表示されており、押すと風景画像が表示される。静止画像で表示した場合と動画像で表示した場合をそれぞれ示した。
【０１０９】
図３７〜図５０は、風景情報の送信に人とシステムの接点であるパスゲートを用いた場合の実施例について説明する。
【０１１０】
図３７は、本発明の実施形態におけるパスゲートを用いた場合のコンセプトを説明するブロック図である。
【０１１１】
同図において、風景情報提供システム１は、パスゲート３４を通過した利用者３を検知すると、パスゲート３４の位置情報を利用者３の通過場所情報と解釈して、パスゲート３４から取得した位置情報に基づいて、風景情報に含まれる起点情報に関して検索する。より具体的には、利用者３がその場から行きやすい起点となる場所へと導くことが出来る。また、ここで言うところのパスゲート３４の通過とは、ゲート形式の通路の通過以外にも、概念的にはパスゲート３４に利用者３が接触した場合も含まれる。
【０１１２】
図３８は、本発明の実施形態におけるパスゲートを用いた場合のコンセプトを説明するブロック図である。
【０１１３】
同図において、風景情報提供システム１は、移動手段の利用開始を示すパスゲート３４−１を通過した利用者３を検知すると、移動手段の利用終了を示すパスゲート３４−２の位置情報を利用者３が目指す目的地と解釈し、パスゲート３４−１から取得した目的地に基づいて、風景情報を検索する。目的地は例えば利用者３が移動手段の利用開始を示すパスゲート３４−１を通過させた乗車券から取得できる。なお、乗車券から情報が取得できれば、パスゲート３４に対して乗車券は接触しても非接触でも構わない。
【０１１４】
移動手段を用いて目的地まで移動する利用者３は、必然的に目的地までの到着時間がかかるので、この時間を利用者３は想いをめぐらすひとときに活用することが出来る。このようにゆったりと想いをめぐらす時間を持つことは、実際に風景に出会った際に利用者３がより浸ることが出来る演出となっていく。
【０１１５】
なお、ここで言うところの移動手段の利用開始または利用終了を示すパスゲート３４−１、３４−２とは、例えば公共交通機関駅の構内などに設置される自動改札（駅構内への利用者３の入退出を管理する機能を有する装置）などの街のインフラ（産業基盤である社会資本のことであり、生活関連の社会資本を含む）として設置されたものや、公共交通機関の移動体の乗降車口や、利用者が自ら運転する（もしくは同乗する）乗用車などを駐車する駐車場ゲートなどがある。移動手段自体をパスゲート３４に用いた場合と、駐車場ゲートを用いた場合について、それぞれ図４９、図５０で補足する。
【０１１６】
図３９は、本発明の実施形態におけるパスゲートを用いた場合のコンセプトを説明するブロック図である。
【０１１７】
同図において、移動手段の利用開始を示すパスゲート３４−１から利用者３が向かう目的地情報が取得できなかった場合には、そのまま待機して移動手段の利用終了を示すパスゲート３４−２から利用者３の通過を検知した通過検知信号の受信を待って、通過検知信号と合わせて受信した移動手段の利用終了を示すパスゲート３４−２の位置情報に基づいて、風景情報ＤＢ２から風景情報を取得する。なお、利用者端末４に利用者３が向かう目的地を直接、問い合わせてもよい。
【０１１８】
図４０は、図３８、図３９に対応する風景情報提供システムサーバの演算部のフローチャートである。
【０１１９】
同図において、風景情報提供システムサーバ１０は、利用者３の通過を検知した移動手段の利用開始を示すパスゲート３４−１から目的地情報の取得ありか否かを判定し（ＳＴ４００１）、取得できたならば、取得した目的地情報に基づいて風景情報ＤＢ２を検索して（ＳＴ４００２）、処理を終了する。取得できなかった場合には、利用者端末４に目的地を問い合わせるか否かを判定し（ＳＴ４００３）、問い合わせることになっている場合には、利用者端末４に目的地を問い合わせる（ＳＴ４００４）。利用者端末４から目的地情報が取得できたか否かを判定し（ＳＴ４００５）、取得できた場合には、取得した目的地情報に基づいて風景情報ＤＢ２を検索して（ＳＴ４００２）、処理を終了する。ＳＴ４００３で利用者端末４に問い合わせない場合と、ＳＴ４００５で利用者端末４から目的地情報が取得できなかった場合には、移動手段の利用終了を示すパスゲート３４−２から利用者３の通過を検知した通過検知信号の受信があるまで待機し（ＳＴ４００６）、利用者３の通過を示す通過検知信号とともに受信した移動手段の利用終了を示すパスゲート３４−２の位置情報に基づいて、風景情報ＤＢ２を検索して（ＳＴ４００７）、処理を終了する。
【０１２０】
図４１は、本発明の実施形態におけるパスゲートのハードブロック図である。
【０１２１】
同図において、利用者検知媒体３５とは、パスゲート３４が利用者３を検知するために用いる媒体であり、詳細については後述する。検知部３６とは、利用者３もしくは利用者検知媒体３５を検知する機能を持つ部位である。送信部３９とは、風景情報提供システムサーバ１０に検知した情報を送信する機能を持つ部位である。
【０１２２】
図４２は、本発明の実施形態におけるパスゲート、風景情報提供システムサーバ及び利用者端末の機能ブロック図である。
【０１２３】
同図において、パスゲート３４は、利用者３そのもの、または利用者検知媒体３５を介して利用者３を検知する機能と、利用者３の通過を示す検知結果を風景情報提供システムサーバ１０に送信する機能を有する。風景情報提供システムサーバ１０は、利用者３の通過を示す検知結果をパスゲート３４から受信する機能と、受信した検知結果に基づいて風景情報を風景情報ＤＢ２から取得する機能と、取得した風景情報を利用者端末４に送信する機能を有する。利用者端末４は、風景情報提供システムサーバ１０から風景情報を受信する機能と、受信した風景情報をＨＭ出力部に出力する機能を有する。
【０１２４】
図４３は、本発明の実施形態におけるパスゲート、風景情報提供システムサーバ及び利用者端末の演算部におけるフローチャートである。
【０１２５】
同図において、パスゲート３４は、利用者３の通過を検知すると（ＳＴ４３０１）、利用者３の通過を示す検知結果を風景情報提供システムサーバ１０に送信して（ＳＴ４３０２）、処理を終了する。風景情報提供システムサーバ１０は、利用者３の通過を示す検知結果をパスゲート３４から受信すると、受信した検知結果に基づいて風景情報を風景情報ＤＢ２から取得し（ＳＴ４３０３）、取得した風景情報を利用者端末４に送信し（ＳＴ４３０４）、送信した情報を風景情報ＤＢ２に記憶して（ＳＴ４３０５）、処理を終了する。利用者端末４は、風景情報提供システムサーバ１０から風景情報を受信すると、受信した風景情報をＨＭ出力部に出力して（ＳＴ４３０６）、処理を終了する。
【０１２６】
図４４〜図４７では、利用者検知媒体３５を用いた利用者３の検知方法の具体例と、利用者３を検知する利用者検知媒体３５の作成方法の具体例を説明する。
【０１２７】
図４４は、本発明の実施形態における利用者検知の具体例を説明するブロック図である。
【０１２８】
同図は、利用者端末４のネットワーク通信用アドレス（利用者端末アドレス）が記憶された利用者端末アドレス読取媒体３５−１を用いて、利用者３の通過を検知する場合である。つまり、利用者端末４は利用者３が携帯しているので、システム的には利用者端末４を利用者３そのものと見なし、利用者端末アドレスの取得を風景情報提供のきっかけに用いている。同図において、パスゲート３４は、あらかじめ読取媒体作成装置４０によって作成された利用者端末アドレス読取媒体３５−１によって、利用者３の通過と共に情報送信先となる利用者端末４のアドレスを取得することが出来る。パスゲート３４が取得した情報は風景情報提供システムサーバ１０に送信される。利用者端末アドレス読取媒体３５−１は、風景情報提供システムサーバ１０にとって利用者３の有する利用者端末４のネットワーク通信におけるアドレスを取得するための媒体であるが、同時にどの利用者３がパスゲート３４と接触したかを知ることが出来るので、利用者検知媒体３５と見なすことが出来る。
【０１２９】
また、図３８に示す移動手段の利用開始または利用終了を示すパスゲート３４−１、３４−２に用いる場合で、移動手段が公共交通機関の場合には、この利用者端末アドレス読取媒体３５−１に乗車券情報が書き込まれてもよい。例えば、その乗車券が一日乗車券や期間限定乗車券であれば、その日やその期間内で風景に浸りながら、例えば観光地をめぐることが出来る。また、乗車券を別に用意して、あらかじめ作成しておいた利用者端末アドレス読取媒体３５−１を乗車券と同時にパスゲート３４を通過させれば、利用者３が望むときだけ風景情報を利用者端末４に受信することが出来る。
【０１３０】
図４５は、図４４における読取媒体作成装置を用いた利用者端末アドレス読取媒体の発行方法の具体例を説明するブロック図である。
【０１３１】
同図において、利用者３は自らの持つ利用者端末４を直接、読取媒体作成装置４０に接続して、そのアドレス情報４−１をダウンロードするか、自ら確認して読取媒体作成装置４０に入力する。アドレス情報４−１を取得した読取媒体作成装置４０は種々の記憶方式の中から適した方法を用いて、利用者端末アドレス読取媒体３５−１を作成し、出力する。ここで言うところの種々の記憶方式によって作成される記憶媒体とは、例えば磁性体記憶媒体、ＩＣ（集積回路）記憶媒体、及び１次元や２次元のバーコードなどのことを示す。
【０１３２】
図４６は、図４５とは別の場合の、ネットワークを介して利用者端末アドレス読取媒体の発行方法の具体例を説明するブロック図である。
【０１３３】
同図において、利用者３は自らの持つ利用者端末４のアドレス情報４−１を自ら確認し、ネットワーク７を介して風景情報提供システム１に接続されるネットワーク端末４１に入力する。アドレス情報４−１を取得した風景情報提供システム１は種々の記憶方式の中から適して方法を用いて、利用者端末アドレス読取媒体３５−１を作成し、人手による送付を用いて利用者３の元に届けるか、利用者端末アドレス読取媒体情報３５−２をネットワーク端末４１にダウンロードして、ネットワーク端末４１から出力する。
【０１３４】
図４７は、図４６とはさらに別の場合の、ネットワークを介して利用者端末アドレス読取媒体の発行方法の具体例を説明するブロック図である。
【０１３５】
同図において、図４６に示すようなネットワーク端末４１を用いず、利用者３は利用者端末４を用いて風景情報提供システム１にアドレス情報４−１を送信し、利用者端末アドレス読取媒体情報３５−３を利用者端末４に直接ダウンロードする場合である。こうすることで図４４における利用者端末アドレス読取媒体３５−１の役割を利用者端末４で代用することが出来る。言い換えれば利用者端末４でサーバにアクセスする際の初期設定を済ませたことになる。
【０１３６】
図４８は、本発明の実施形態におけるパスゲートの具体例を説明する図である。
【０１３７】
同図は、図４７に示す初期設定を済ませた利用者端末４に位置情報タグ４２からの位置情報を取得させることで、利用者端末４そのものにパスゲート３４の役割を担わせる場合である。つまり、あらかじめ配置された情報タグ４２からの情報を利用者端末４に受信して、利用者端末４の有する通信機能を用いて風景情報提供システム１に情報タグ４２から取得した位置情報を送信すると、利用者端末４が本発明におけるパスゲート３４と見なすことができることになる。
【０１３８】
同図において、場所に関する位置情報をあらかじめ記憶し、その位置情報を特定の範囲に発信する位置情報タグ４２から発信される位置情報を利用者端末４は受信し、風景情報提供システムサーバ１０に受信した位置情報を送信する。さらに、利用者端末４から位置情報を受信した風景情報提供システムサーバ１０は風景情報を利用者端末４に返信する。この場合、位置情報タグ４２と利用者端末４の組み合わせで、例えば図３７、図３８に示すパスゲート３４と等価の機能を有することになり、本発明におけるパスゲート３４−６になる。ここで言うところのパスゲート３４の機能とは、利用者３の通過場所を検知する機能と、その検知情報と利用者端末４のアドレス情報を風景情報提供システムサーバ１０に通知する機能のことである。
【０１３９】
図４９は、図４８における利用者端末の機能ブロック図である。
【０１４０】
同図において、利用者端末４は、位置情報タグ４２から位置情報を受信する機能と、受信情報を風景情報提供システムサーバ１０に送信する機能と、（風景情報提供システムサーバ１０がその情報を受信した情報に基づく処理を実行して）風景情報提供システムサーバ１０からその処理結果を受信する機能、及び受信した情報をＨＭ出力部に出力する機能を有する。
【０１４１】
図５０は、本発明の実施形態における利用者端末、及び風景情報提供システムサーバの演算部のフローチャートである。
【０１４２】
同図において、利用者端末４は、位置情報タグ４２から位置情報を受信すると（ＳＴ５００１）、受信した情報を風景情報提供システムサーバ１０に送信する（ＳＴ５００２）。風景情報提供システムサーバ１０は、利用者端末４から情報を受信すると、受信した情報に基づく処理を実行し（ＳＴ５００３）、処理結果に基づく情報を利用者端末４に送信して（ＳＴ５００４）、処理を終了する。利用者端末４は、風景情報提供システムサーバ１０から情報を受信すると、受信した情報をＨＭ出力部に出力して（ＳＴ５００５）、処理を終了する。
【０１４３】
図５１は、本発明の実施形態におけるパスゲートの具体例を説明する図である。
【０１４４】
同図において、駅構内を持たない公共交通機関では、例えば停留所に停車中で乗降車口が開いている移動車両（移動手段）の乗降車口を本発明におけるパスゲート３４と見なすとよい。また、電車のように駅構内を持ち、自動改札がある公共交通機関でも、このように移動車両の乗降車口を活用してもよい。この場合、パスゲート３４は移動車両とともに移動することとなるが、図例のように停留所などの公共機関の利用者が乗り降りするときだけパスゲート３４の役割を果たすと考える。つまり、乗車時の車両が乗車した停留所という場所におけるパスゲート３４（図３８に示す移動手段の利用開始を示すパスゲート３４−１）となり、降車時の車両が降車した停留所という場所におけるパスゲート３４（図３８に示す移動手段の利用終了を示すパスゲート３４−２）となる。
【０１４５】
さらに、図４８に示す仕組みをこの乗降車口に用いることも出来る。移動車両の乗降車口に用いると、移動車両が停車したときだけ、その停車場所に設置されたパスゲート３４と同じ機能を持たせることができる。例えばＡ駅（Ａ停留所）で停車中は、移動車両の乗降車口に設置された位置情報タグ４２−１から「Ａ」を示す位置情報が出力されることによって、停車中だけ「Ａ」に設置されたパスゲート３４となり、同様にＢ駅（Ｂ停留所）で停車中は、移動車両の乗降車口に設置された位置情報タグ４２−１から「Ｂ」を示す位置情報が出力されることによって、停車中だけ「Ｂ」に設置されたパスゲート３４となる。
【０１４６】
図５２は、本発明の実施形態におけるパスゲートの具体例を説明する図である。
【０１４７】
同図において、利用者３自ら運転もしくは同乗する移動手段（車両）の場合には、その移動手段を駐車する駐車場などに設置された退出管理ゲートを本発明におけるパスゲート３４と見なすとよい。この場合、図例に示す入退出管理ゲート付き駐車場への入場許可ゲート３４−２が、図３８に示す移動手段の利用終了を示すパスゲート３４−２となる。同様に退出許可ゲート３４−１が、図３８に示す移動手段の利用開始を示すパスゲート３４−１となる。これは、駐車場に車を停めている状態が移動手段を利用していない状態に相当するためである。また、移動手段に搭載される車載装置（例えば、カーナビゲーションシステム）を利用者端末４としてもよい。
【０１４８】
【発明の効果】
以上記載の本発明によれば、自らの意思でその場所へ行ってその風景を眺めることによってその雰囲気に浸りたいと思う利用者に対して、その風景にはどうしたら出会えるのかを利用者の有する利用者端末を介して利用者に伝え、起点となる場所から風景に出会う場所まで誘導し、不意に風景が変わったかのように感じるための動作を実行させることによって、「ある風景」の発見を実際に体感させることでその風景に浸ってもらうことが出来る。風景情報に散文詩調の文章を用いると、文章を眺めるだけでも利用者にとって酔える演出となり、浸る風景に出会う場所へと利用者の気持ちをかき立てる効果が期待できる。
【０１４９】
また、利用者の通過を検知するパスゲートを用いると、通過したパスゲートの位置情報が利用者の位置情報そのものであると見なすことが出来るので、利用者がいる場所から行きやすい風景情報を提供することが出来る。なお、利用者が通過したパスゲートを時間軸でつなぐと、利用者の行動の軌跡を取得することが出来るので、利用者の行動予測に用いれば先回りしたサービスへの応用にも活用できる。
【０１５０】
さらに、移動手段の利用開始を示すパスゲートを用いると、移動手段を用いて目的地まで移動する利用者は、必然的に目的地までの到着時間がかかるので、この時間を利用者は想いをめぐらすひとときに活用することが出来る。このようにゆったりと想いをめぐらす時間を持つことは、実際に風景に出会った際に利用者がより浸ることの出来る演出となっていく。
【図面の簡単な説明】
【図１】本発明の実施形態におけるシステム全体図を説明するブロック図
【図２】図１における風景情報を説明する図
【図３】本発明の実施形態における風景情報提供システムを利用する利用者の心理モデルと行動モデルを説明する図
【図４】本発明の実施形態におけるシステム全体図を説明するブロック図
【図５】本発明の実施形態における風景情報提供システムサーバのハードブロック図
【図６】本発明の実施形態における利用者端末のハードブロック図
【図７】本発明の実施形態における作成者端末のハードブロック図
【図８】本発明の実施形態における応募者端末のハードブロック図
【図９】本発明の実施形態における風景情報提供システム及び作成者端末の機能ブロック図
【図１０】本発明の実施形態における利用者端末及び風景情報提供システムサーバの機能ブロック図
【図１１】本発明の実施形態における利用者端末及び風景情報提供システムサーバの機能ブロック図
【図１２】本発明の実施形態における風景情報提供システム及び作成者端末の演算部におけるフローチャート
【図１３】本発明の実施形態における利用者端末及び風景情報提供システムサーバの演算部におけるフローチャート
【図１４】本発明の実施形態における利用者端末及び風景情報提供システムサーバの演算部におけるフローチャート
【図１５】本発明の実施形態における応募者端末及び風景情報提供システムサーバの機能ブロック図
【図１６】本発明の実施形態における応募者端末及び風景情報提供システムサーバの機能ブロック図
【図１７】本発明の実施形態における風景情報提供システムサーバ及び作成者端末の機能ブロック図
【図１８】本発明の実施形態における応募者端末及び風景情報提供システムサーバの演算部におけるフローチャート
【図１９】本発明の実施形態における応募者端末及び風景情報提供システムサーバの演算部におけるフローチャート
【図２０】本発明の実施形態における風景情報提供システム及び作成者端末の演算部におけるフローチャート
【図２１】本発明の実施形態における風景情報の作成者による風景情報作成手順の具体例を説明するブロック図
【図２２】本発明の実施形態における散文詩調の文章で表現された風景情報の効果について説明するブロック図
【図２３】本発明の実施形態における散文詩調の文章で表現された風景情報を出力する利用者端末の具体例を説明する図
【図２４】図２とは別の場合のルート情報に分岐地点情報を含む風景情報を説明する図
【図２５】本発明の実施形態における風景情報の作成者による風景情報作成手順の具体例を説明するブロック図
【図２６】本発明の実施形態における利用者端末の演算部におけるフローチャート
【図２７】本発明の実施形態における利用者端末の風景情報の出力例と実際の風景のイメージを示す図
【図２８】本発明の実施形態における利用者端末の風景情報の出力例と実際の風景のイメージを示す図
【図２９】本発明の実施形態における利用者端末の風景情報の出力例と実際の風景のイメージを示す図
【図３０】本発明の実施形態における利用者端末の風景情報の出力例と実際の風景のイメージを示す図
【図３１】本発明の実施形態における利用者端末の風景情報の出力例と実際の風景のイメージを示す図
【図３２】本発明の実施形態における風景情報提供システムを使わなかった場合の実際の風景イメージを示す図
【図３３】図２７〜図３１に示す風景の位置関係を補足的に説明する地図
【図３４】図３５、図３６に示す本発明の実施形態における利用者端末の画像を添付した風景情報の作成手順の具体例を説明するブロック図
【図３５】本発明の実施形態における風景映像が添付された風景情報を出力する利用者端末の具体例を説明する図
【図３６】本発明の実施形態における風景映像が添付された風景情報を出力する利用者端末の具体例を説明する図
【図３７】本発明の実施形態におけるパスゲートを用いた場合のコンセプトを説明するブロック図
【図３８】本発明の実施形態におけるパスゲートを用いた場合のコンセプトを説明するブロック図
【図３９】本発明の実施形態におけるパスゲートを用いた場合のコンセプトを説明するブロック図
【図４０】図３８、図３９に対応する風景情報提供システムサーバの演算部のフローチャート
【図４１】本発明の実施形態におけるパスゲートのハードブロック図
【図４２】本発明の実施形態におけるパスゲート、風景情報提供システムサーバ及び利用者端末の機能ブロック図
【図４３】本発明の実施形態におけるパスゲート、風景情報提供システムサーバ及び利用者端末の演算部におけるフローチャート
【図４４】本発明の実施形態における利用者検知の具体例を説明するブロック図
【図４５】図４４における読取媒体作成装置を用いた利用者端末アドレス読取媒体の発行方法の具体例を説明するブロック図
【図４６】図４５とは別の場合の、ネットワークを介して利用者端末アドレス読取媒体の発行方法の具体例を説明するブロック図
【図４７】図４６とはさらに別の場合の、ネットワークを介して利用者端末アドレス読取媒体の発行方法の具体例を説明するブロック図
【図４８】本発明の実施形態におけるパスゲートの具体例を説明する図
【図４９】図４８における利用者端末の機能ブロック図
【図５０】本発明の実施形態における利用者端末、及び風景情報提供システムサーバの演算部のフローチャート
【図５１】本発明の実施形態におけるパスゲートの具体例を説明する図
【図５２】本発明の実施形態におけるパスゲートの具体例を説明する図
【符号の説明】
１　風景情報提供システム
２　風景情報ＤＢ（データベース）
４　利用者端末
６　作成者端末
７　ネットワーク
９　応募者端末
１０　風景情報提供システムサーバ
３４　パスゲート
３４−１　移動手段の利用開始を示すパスゲート
３４−２　移動手段の利用終了を示すパスゲート
３５　利用者検知媒体
【図１】
2004046712.tif 000003
【図２】
2004046712.tif 000004
【図３】
2004046712.tif 000005
【図４】
2004046712.tif 000006
【図５】
2004046712.tif 000007
【図６】
2004046712.tif 000008
【図７】
2004046712.tif 000009
【図８】
2004046712.tif 000010
【図９】
2004046712.tif 000011
【図１０】
2004046712.tif 000012
【図１１】
2004046712.tif 000013
【図１２】
2004046712.tif 000014
【図１３】
2004046712.tif 000015
【図１４】
2004046712.tif 000016
【図１５】
2004046712.tif 000017
【図１６】
2004046712.tif 000018
【図１７】
2004046712.tif 000019
【図１８】
2004046712.tif 000020
【図１９】
2004046712.tif 000021
【図２０】
2004046712.tif 000022
【図２１】
2004046712.tif 000023
【図２２】
2004046712.tif 000024
【図２３】
2004046712.tif 000025
【図２４】
2004046712.tif 000026
【図２５】
2004046712.tif 000027
【図２６】
2004046712.tif 000028
【図２７】
2004046712.tif 000029
【図２８】
2004046712.tif 000030
【図２９】
2004046712.tif 000031
【図３０】
2004046712.tif 000032
【図３１】
2004046712.tif 000033
【図３２】
2004046712.tif 000034
【図３３】
2004046712.tif 000035
【図３４】
2004046712.tif 000036
【図３５】
2004046712.tif 000037
【図３６】
2004046712.tif 000038
【図３７】
2004046712.tif 000039
【図３８】
2004046712.tif 000040
【図３９】
2004046712.tif 000041
【図４０】
2004046712.tif 000042
【図４１】
2004046712.tif 000043
【図４２】
2004046712.tif 000044
【図４３】
2004046712.tif 000045
【図４４】
2004046712.tif 000046
【図４５】
2004046712.tif 000047
【図４６】
2004046712.tif 000048
【図４７】
2004046712.tif 000049
【図４８】
2004046712.tif 000050
【図４９】
2004046712.tif 000051
【図５０】
2004046712.tif 000052
【図５１】
2004046712.tif 000053
【図５２】
2004046712.tif 000054